(57)【要約】      （修正有）【課題】正規品以外の部品の使用を確実に防止することができるフィルタ装置を提供する。【解決手段】ろ材の端に設けられる第１のプレート１５は、底面がろ材と当接する円環形状の部分を有する本体部１５ａと、本体部１５ａの外周に沿って形成された外筒部１５ｂと、本体部１５ａの内周に沿って形成された内筒部１５ｃと、本体部１５ａ又は内筒部１５ｃの内周から径方向内側に突出して形成される複数の突起１５ｄと、を有し、第１のプレート１５の中空部を覆うように、外周が本体部１５ａ及び内筒部１５ｃの内径より小さい蓋部材１６が取り付けられる。蓋部材１６の裏面は突起１５ｄと当接し、蓋部材１６の裏面に形成された凸部又は凹部は、突起１５ｄに形成された被嵌合部に嵌合する。【選択図】図２
0003204806.tif 000002
【実用新案登録請求の範囲】
【請求項１】
両端に開口を有する中空円筒形状のろ材と、
前記ろ材の両端に設けられる第１のプレート及び第２のプレートと、
前記第１のプレートの中空部を覆うように前記第１のプレートに取り付けられる蓋部材と、
前記蓋部材が前記第１のプレートに取り付けられたときに、前記第１のプレートと前記蓋部材との間に設けられるシール部材と、を備え、
前記第１のプレートは、底面が前記ろ材と当接する円環形状の部分を有する本体部と、前記本体部の外周に沿って形成された外筒部と、前記本体部の内周に沿って形成された内筒部と、前記本体部又は前記内筒部の内周から径方向内側に突出して形成される複数の突起と、を有し、
前記蓋部材は、外周の直径が前記本体部の内径及び前記内筒部の内径より小さく、
前記蓋部材の裏面には、凸部又は凹部が形成され、
前記複数の突起には、それぞれ、前記凸部又は前記凹部と嵌合する被嵌合部が形成され、
前記凸部又は前記凹部と前記被嵌合部が嵌合すると、前記蓋部材の裏面と前記複数の突起とが当接することを特徴とするフィルタ装置。
【請求項２】
請求項１に記載のフィルタ装置であって、
前記複数の突起は、対向する位置に２箇所形成されることを特徴とするフィルタ装置。
【請求項３】
請求項１に記載のフィルタ装置であって、
前記シール部材は、前記第１のプレートの内周面と前記蓋部材の外周面との間に設けられ、
前記シール部材が前記第１のプレートの内周面と前記蓋部材の外周面との間に設けられると、前記シール部材が弾性変形して前記第１のプレートの内周面と前記蓋部材の外周面とに密接することを特徴とするフィルタ装置。
【請求項４】
請求項１に記載のフィルタ装置であって、
金属製の棒を環状に折り曲げて形成された弾性を有する押さえリングを更に備え、
前記プレートの前記本体部の内周面には、前記押さえリングの直径より深さが浅い溝が形成され、
前記凸部又は前記凹部と前記被嵌合部が嵌合した状態で前記溝に前記押さえリングが設けられると、前記押さえリングが前記溝と前記蓋部材とに当接することを特徴とするフィルタ装置。
【請求項５】
請求項１に記載のフィルタ装置であって、
前記凸部又は前記被嵌合部は、文字を表す形状であることを特徴とするフィルタ装置。
【考案の詳細な説明】
【技術分野】
【０００１】
本考案は、フィルタ装置に関する。
【背景技術】
【０００２】
特許文献１には、フィルタエレメントの端面に向かって突出した蓋側凸部が蓋部材の下面に形成され、蓋側凸部と嵌合する形状のフィルタ側凹部がフィルタエレメントに形成されるフィルタ構造が開示されている。
【先行技術文献】
【特許文献】
【０００３】
【特許文献１】実用新案登録第３１８５６１２号
【考案の概要】
【考案が解決しようとする課題】
【０００４】
特許文献１に記載の考案では、正規品の蓋側凸部やフィルタ側凹部を切削加工することにより、正規品ではない部品が使用可能となるおそれがある。
【０００５】
本考案はこのような事情に鑑みてなされたもので、正規品以外の部品の使用を確実に防止することができるフィルタ装置を提供することを目的とする。
【課題を解決するための手段】
【０００６】
上記課題を解決するために、本考案に係るフィルタ装置は、例えば、両端に開口を有する中空円筒形状のろ材と、前記ろ材の両端に設けられる第１のプレート及び第２のプレートと、前記第１のプレートの中空部を覆うように前記第１のプレートに取り付けられる蓋部材と、前記蓋部材が前記第１のプレートに取り付けられたときに、前記第１のプレートと前記蓋部材との間に設けられるシール部材と、を備え、前記第１のプレートは、底面が前記ろ材と当接する円環部分を有する本体部と、前記本体部の外周に沿って形成された外筒部と、前記本体部の内周に沿って形成された内筒部と、前記本体部又は前記内筒部の内周から径方向内側に突出して形成される複数の突起と、を有し、前記蓋部材は、外周の直径が前記本体部の内径及び前記内筒部の内径より小さく、前記蓋部材の裏面には、凸部又は凹部が形成され、前記複数の突起には、それぞれ、前記凸部又は前記凹部と嵌合する被部が形成され、前記凸部又は前記凹部と前記被嵌合部が嵌合すると、前記蓋部材の裏面と前記複数の突起とが当接することを特徴とする。
【０００７】
本考案に係るフィルタ装置によれば、ろ材の端に設けられる第１のプレートは、底面がろ材と当接する円環部分を有する本体部と、本体部の外周に沿って形成された外筒部と、本体部の内周に沿って形成された内筒部と、本体部又は内筒部の内周から径方向内側に突出して形成される複数の突起と、を有し、第１のプレートの中空部を覆うように蓋部材が取り付けられる。蓋部材の裏面は突起と当接し、蓋部材の裏面に形成された凸部は、突起に形成された被嵌合部に嵌合する。蓋部材は、外周が本体部及び内筒部の内径より小さいため、被嵌合部を無くすために突起を削ると、蓋部材を第１のプレートに取り付けることができない。これにより、正規品以外の部品の使用を確実に防止することができる。
【０００８】
ここで、前記複数の突起は、対向する位置に２箇所形成されてもよい。これにより、最も少ない突起の数で、すなわち単純な形状で、正規品以外の部品の使用を確実に防止することができる。
【０００９】
ここで、前記シール部材は、前記第１のプレートの内周面と前記蓋部材の外周面との間に設けられ、前記シール部材が前記第１のプレートの内周面と前記蓋部材の外周面との間に設けられると、前記シール部材が弾性変形して前記第１のプレートの内周面と前記蓋部材の外周面とに密接してもよい。これにより、第１のプレートと蓋部材とを一体化し、蓋部材を引き上げるときに蓋部材が第１のプレートから外れないようにすることができる。
【００１０】
ここで、金属製の棒を折り曲げて形成された弾性を有する環状の押さえリングを更に備え、前記プレートの前記本体部の内周面には、前記押さえリングの直径より深さが浅い溝が形成され、前記凸部又は前記凹部と前記被嵌合部が嵌合した状態で前記溝に前記押さえリングが設けられると、前記押さえリングが前記溝と前記蓋部材とに当接してもよい。これにより、蓋部材が抜け止めされる。
【００１１】
ここで、前記凸部又は前記被嵌合部は、文字を表す形状であってもよい。これにより、使用者が、凸部又は被嵌合部を文字として視認できる。
【考案の効果】
【００１２】
本考案によれば、正規品以外の部品の使用を確実に防止することができる。
【図面の簡単な説明】
【００１３】
【図１】本考案の第１の実施の形態にかかる濾過装置１の概略図である。
【図２】プレート１５、蓋部材１６及びシール部材１７の詳細を示す図である。
【図３】プレート１５と蓋部材１６との嵌合部分について説明する図である。
【図４】突起１５ｄが形成されていないプレート１５−１を用いたフィルタエレメント１０−１が誤って用いられた場合について説明する図である。
【図５】本考案の第２の実施の形態にかかるプレート１５Ａを用いたフィルタエレメント１０Ａを示す図である。
【考案を実施するための形態】
【００１４】
以下、本考案の実施形態を、図面を参照して詳細に説明する。
＜第１の実施の形態＞
図１は、濾過装置１の概略を示す図である。濾過装置１は、油、水等の液体に含まれる塵埃等を、フィルタを用いて除去するものであり、主として、フィルタエレメント１０と、液圧回路２０と、を有する。フィルタエレメント１０は、液圧回路２０の内部に設けられる。
【００１５】
フィルタエレメント１０は、主として、外筒１１と、内筒１２と、外筒１１と内筒１２との間に設けられるろ材１３と、外筒１１、内筒１２及びろ材１３の両端に設けられるプレート１４、１５と、を有する。また、フィルタエレメント１０には、蓋部材１６と、シール部材１７と、押さえリング１８と、が設けられる。フィルタエレメント１０に蓋部材１６等が取り付けられたものをフィルタ装置３０という。
【００１６】
外筒１１及び内筒１２は、両端に開口を有する略中空円筒形状の部材である。外筒１１及び内筒１２は、耐腐食性の高い材料（例えば、ステンレス）又は樹脂を用いて形成される。内筒１２は、外筒１１の内側に収容されている。内筒１２の直径は外筒１１よりも小さく、内筒１２の高さは外筒１１の高さと略同一である。
【００１７】
外筒１１及び内筒１２の略全域には、それぞれ図示しない複数の孔が形成されている。外筒１１に形成された孔は、外筒１１の外側と内側とを連通しており、内筒１２に形成された孔は、内筒１２の外側と内側とを連通している。なお、外筒１１は必須の構成ではない。
【００１８】
ろ材１３は、径方向に厚みを有する略中空円筒形状である。ろ材１３は、合成樹脂や紙等を用いたシート状のろ紙をひだ折りにし、ひだ折りにしたろ紙の両端を連結して円筒状に丸めることによって形成される。ろ材１３の高さは、外筒１１及び内筒１２と略同じである。
【００１９】
外筒１１に形成された孔を通過した液体は、ろ材１３を外側から内側へ通過する。その際、液体中の不純物は、ろ材１３によって除去される。ろ材１３の内側へ通過した液体は、内筒１２に形成された孔を通過して内筒１２の内部へ流出する。
【００２０】
外筒１１及び内筒１２の一方の端にはプレート１４が設けられ、他方の端にはプレート１５が設けられる。プレート１４及びプレート１５は、ろ材１３が間に設けられた外筒１１及び内筒１２の端を覆うように設けられる。言い換えると、プレート１４及びプレート１５の内側には、外筒１１、内筒１２及びろ材１３が設けられる。
【００２１】
プレート１４及びプレート１５は、有底略円筒形状の部材であり、樹脂又は耐腐食性の高い材料（例えば、ステンレス）を用いて形成される。また、プレート１４、１５には、図示しないガスケットが設けられてもよい。これにより、外筒１１、内筒１２、ろ材１３、プレート１４、プレート１５は、フィルタエレメント１０として一体化される。
【００２２】
蓋部材１６は、プレート１５に設けられる。シール部材１７は、ゴム等の弾性部材により形成された円環形状の部材である。シール部材１７は、蓋部材１６がプレート１５に設けられると、弾性変形してプレート１５と蓋部材１６とに密着する。プレート１５、蓋部材１６及びシール部材１７については、後に詳述する。
【００２３】
液圧回路２０は、主として、タンク２１と、流入管２２と、流出管２３と、を有する。タンク２１により、内側部屋２４と、外側部屋２６と、が形成される。内側部屋２４は、上端が開口する有底形状である。内側部屋２４の上端開口は、タンクカバー２５により液密に閉塞されている。外側部屋２６は、内側部屋２４を囲むように形成される。
【００２４】
内側部屋２４の内側には、フィルタエレメント１０が設けられる。内側部屋２４の底面を貫通するように、内側部屋２４と外側部屋２６と連通する連通管２７が設けられる。フィルタエレメント１０の下端開口、すなわちプレート１４の中空部には、連通管２７が嵌合される。
【００２５】
蓋部材１６の上面とタンクカバー２５の下面との間には、フィルタエレメント１０が浮き上がらないようにする固定用ばね２８が設けられる。
【００２６】
流入管２２は、タンク２１の側面の上端近傍において、タンク２１の側面を貫通するように設けられる。流入管２２は、内側部屋２４の内側に開口する。流出管２３は、タンク２１の底面を貫通するように設けられる。流出管２３は、外側部屋２６内に開口する。
【００２７】
図１における矢印は、液体の流れを示す。流入管２２は、濾過すべき液Ｆ１を内側部屋２４に導く。流出管２３は、濾過後のクリーンな液Ｆ２を外側部屋２６から液圧回路２０の他の部品へ導く。
【００２８】
なお、液体の流れはこれに限られず、例えば下方から液体が流入し、上方又は側方から液体が流出するようにしてもよい。
【００２９】
図２は、プレート１５、蓋部材１６及びシール部材１７の詳細を示す図である。
プレート１５は、本体部１５ａと、外筒部１５ｂと、内筒部１５ｃと、突起１５ｄと、を有する。図２においては、内筒部１５ｃと突起１５ｄとの境を点線で表示しているが、これは説明のために点線で表示しているだけであり、実際には境界が無く一体である。
【００３０】
本体部１５ａは、円環形状の部分を有する部材であり、例えば断面が略Ｌ字形状である。本体部１５ａの中空部には、蓋部材１６が挿入される。また、本体部１５ａの内周面には、シール部材１７が当接する溝１５ｅと、押さえリング１８（後に詳述）が嵌合する溝１５ｊが形成される。本体部１５ａの円環形状の部分の底面１５ｆは、外筒１１、内筒１２及びろ材１３（図２においては図示を省略）と当接する。
【００３１】
外筒部１５ｂは、本体部１５ａの外周に沿って、本体部１５ａから下向き（−ｚ方向）に突出して形成される。外筒部１５ｂは、底面１５ｆに当接した外筒１１の外周を覆う。
【００３２】
内筒部１５ｃは、本体部１５ａの内周に沿って、本体部１５ａから下向き（−ｚ方向）に突出して形成される。内筒部１５ｃは、底面１５ｆに当接した内筒１２の内周を覆う。
【００３３】
本体部１５ａの内周の直径と、内筒部１５ｃの内周の直径とは、同一である。なお、本発明における同一とは、同一の場合と、同一ではないが同一であると同一視できる場合と、を含む概念である。
【００３４】
以下、本体部１５ａの内周面及び内筒部１５ｃの内周面を、内周面１５ｇ（図３参照）という。本実施の形態では、溝１５ｅが本体部１５ａの内周面に形成されるが、溝１５ｅは内周面１５ｇに形成されればよい。すなわち、溝１５ｅは、本体部１５ａの内周面に形成されてもよいし、内筒部１５ｃの内周面に形成されてもよい。
【００３５】
突起１５ｄは、板状の部材であり、内筒部１５ｃの内周面から径方向内側に突出して形成される。なお、突起１５ｄは、内周面１５ｇに形成されればよく、本体部１５ａの内周から径方向内側に突出して形成されてもよい。本実施の形態では、突起１５ｄは、対向する位置に２箇所形成される。
【００３６】
突起１５ｄには、孔１５ｉ（図３参照）が形成される。孔１５ｉについては、後に詳述する。
【００３７】
蓋部材１６は、本体部１６ａと、取手１６ｂと、リリーフ弁１６ｃと、を有する。
【００３８】
本体部１６ａは、略円板状であり、フィルタエレメント１０のプレート１５に設けられる。本体部１６ａは、本体部１５ａ及び内筒部１５ｃの中空部に嵌る大きさである。すなわち、本体部１６ａの外周の直径は、内周面１５ｇの内径より小さい。本体部１６ａの裏面（−ｚ側の面）１６ｆは、突起１５ｄに当接する。
【００３９】
本体部１６ａの側面１６ｄには、溝１６ｅが形成される。溝１６ｅには、シール部材１７が設けられる。蓋部材１６がプレート１５に設けられると、溝１６ｅに設けられたシール部材１７は、弾性変形して溝１５ｅに密接する。これにより、プレート１５の中空部、すなわち内筒１２の内側が液密に閉塞される。
【００４０】
取手１６ｂは、本体部１６ａの上面（＋ｚ側の面）に形成される。リリーフ弁１６ｃは、本体部１６ａの裏面１６ｆの中央部に設けられる。リリーフ弁１６ｃは、フィルタエレメント１０の外側の圧力が所定値よりも大きくなると開くようになっている。リリーフ弁１６ｃは公知であるため、詳細な説明は省略する。
【００４１】
図３は、プレート１５と蓋部材１６との嵌合部分について説明する図である。図３においては、プレート１５を斜め上方から見ており、蓋部材１６を斜め下方向から見ている。また、図３においては、リリーフ弁１６ｃの図示を省略している。
【００４２】
本体部１６ａの裏面１６ｆは、プレート１５の突起１５ｄの上面１５ｈと対向する。裏面１６ｆには、図２における下向き（−ｚ方向）に突出する複数の凸部１６ｇが形成されている。
【００４３】
凸部１６ｇは、例えば、文字を表す形状をなしている。本実施の形態では、凸部１６ｇは、８個（４個×２組）であり、“Ｄ”、“Ｍ”、“Ｏ”、“Ｘ”の文字を表す形状を含んでいる。
【００４４】
凸部１６ｇは、突起１５ｄに形成された孔１５ｉに嵌合する。言い換えれば、孔１５ｉは、凸部１６ｇが嵌合可能な形状で形成される。本実施の形態では、孔１５ｉは、“Ｄ”、“Ｍ”、“Ｏ”、“Ｘ”の文字の鏡像形状を含む形状である。
【００４５】
裏面１６ｆが上面１５ｈに当接し、凸部１６ｇが孔１５ｉに嵌合すると、側面１６ｄが内周面１５ｇに嵌合し、シール部材１７が溝１６ｅ及び溝１５ｅに密接する。これにより、蓋部材１６がプレート１５に設けられる。
【００４６】
また、裏面１６ｆには、位置決め用のリブ１６ｈが設けられる。リブ１６ｈは、凸部１６ｇと同様に、図２における下向き（−ｚ方向）に突出する。リブ１６ｈは、凸部１６ｇが孔１５ｉに嵌合すると、２個の突起１５ｄの間に位置する。
【００４７】
なお、孔１５ｉ及び凸部１６ｇの形状は、これに限定されるものではない。複数の孔１５ｉ及び凸部１６ｇは、文字、記号、図柄の少なくとも１つを表す形状と、その鏡像形状であってもよい。例えば、凸部１６ｇ及び孔１５ｉは、フィルタエレメント１０や、フィルタエレメント１０が組み込まれる油圧アクチュエータを製作、販売等する会社の社名や登録商標の文字、形状等と、その鏡像形状であってもよい。
【００４８】
また、孔１５ｉ（突起１５ｄ）及び凸部１６ｇの位置も、これに限られない。例えば、突起１５ｄを３箇所形成し、各突起１５ｄに孔１５ｉを形成し、これに嵌合可能な位置に凸部１６ｇを形成してもよい。ただし、突起１５ｄの数が最も少ないのは、対向する位置に２箇所形成する場合である。
【００４９】
さらに、突起１５ｄに形成されるのは、孔１５ｉに限られない。例えば、凸部１６ｇが嵌合可能な形状であって、凸部１６ｇの高さより深い凹部が突起１５ｄに形成されていてもよい。なお、この凹部には、孔が含まれる。
【００５０】
図２の説明に戻る。蓋部材１６がプレート１５に設けられると、シール部材１７が弾性変形して溝１６ｅ及び溝１５ｅに密接するため、シール部材１７が蓋部材１６とプレート１５とを一体化する。
【００５１】
押さえリング１８は、例えば金属製の棒を環状に折り曲げて形成された弾性を有する部材である。押さえリング１８の両端は、略９０度折り曲げられている。押さえリング１８は弾性を有するため、折り曲げられた両端を近づける方向に力を加えると、直径が小さくなる方向に変形する。また、力を除去すると、弾性によって押さえリング１８の形状が元に戻る。
【００５２】
押さえリング１８は、プレート１５の内周面１５ｇに形成された溝１５ｊに嵌合する。
【００５３】
溝１５ｊは、径方向外側に向かって凹形状であり、内周面１５ｇに沿った円環状である。この凹形状の深さは、押さえリング１８の直径より浅い。そのため、押さえリング１８が溝１５ｊに嵌合すると、一部が溝１５ｊの外に出る。なお、溝１５ｊの凹形状の深さは、押さえリング１８の半径より浅いことがより望ましい。
【００５４】
溝１５ｊは、突起１５ｄの上面１５ｈから、本体部１６ａの厚み分と略同じだけ高い位置に形成されている。そのため、凸部１６ｇが孔１５ｉに嵌合して蓋部材１６がプレート１５に設けられると、押さえリング１８の一部は、本体部１６ａの上面の周縁近傍と係合する。このように、蓋部材１６は、押さえリング１８によって抜け止めがなされる。
【００５５】
これにより、蓋部材１６が、フィルタエレメント１０に対して着脱可能、かつ容易に外れないように一体化される。なお、蓋部材１６の抜け止めは、押さえリング１８を用いる構造に限定されない。
【００５６】
次に、フィルタエレメント１０及び液圧回路２０の動作について説明する。
外筒１１と内筒１２との間にろ材１３を挿入したものの両端にプレート１４、１５が取り付けられ、フィルタエレメント１０が組み立てられる。
【００５７】
その後、凸部１６ｇが突起１５ｄに形成された孔１５ｉに嵌合し、裏面１６ｆが上面１５ｈに当接するように、蓋部材１６がプレート１５に取り付けられる。これにより、フィルタエレメント１０に蓋部材１６が設けられる。蓋部材１６には、あらかじめシール部材１７が設けられているため、蓋部材１６と一緒に、シール部材１７もフィルタエレメント１０に設けられる。
【００５８】
このとき、凸部１６ｇと孔１５ｉとが対向するように、ある程度お互いの位置を決めてから蓋部材１６が重ねられる。なお、蓋部材１６を重ねた状態で凸部１６ｇと孔１５ｉとが嵌合しない場合は、蓋部材１６をプレート１５に対して回転させる。例えば、リブ１６ｈが突起１５ｄと当接しているときには、蓋部材１６がプレート１５の上に乗っている状態である。この状態から蓋部材１６をプレート１５に対して回転させて、リブ１６ｈが突起１５ｄ間に位置すると、凸部１６ｇと孔１５ｉとが対向し、凸部１６ｇと孔１５ｉとが嵌合可能になる。
【００５９】
蓋部材１６がプレート１５に設けられた状態で、押さえリング１８が溝１５ｊに装着されると、蓋部材１６は、押さえリング１８によって抜け止めがなされる。
【００６０】
次に、図１に示すように、タンクカバー２５及び固定用ばね２８を用いて、フィルタ装置３０をタンク２１の内側部屋２４内に設ける。この状態で、流入管２２からタンク２１の内側部屋２４の内側に濾過すべき液Ｆ１が導かれる。
【００６１】
濾過すべき液Ｆ１は、フィルタエレメント１０の外筒１１に形成された孔を通り、ろ材１３によって濾過される。濾過後のクリーンな液Ｆ２は、内筒１２に形成された孔から内筒１２の内側へ浸入する。なお、内側部屋２４の内部の圧力が所定値よりも大きくなった場合は、リリーフ弁１６ｃ（図２参照）が開く。
【００６２】
なお、プレート１５の開口は、蓋部材１６及びシール部材１７によって液密に閉塞されている。このため、濾過すべき液Ｆ１が外筒１１に形成された孔以外の箇所から侵入することはない。
【００６３】
内筒１２の内側へ浸入したクリーンな液Ｆ２は、連通管２７を通ってタンク２１の外側部屋２６の内側へ導かれる。液Ｆ２は、外側部屋２６に溜まるとともに、図示しないポンプ等によって流出管２３から液圧回路２０の他の部位へ導かれる。
【００６４】
フィルタエレメント１０は、濾過すべき液Ｆ１を濾過することにより、次第に濾過能力が低下していくため、定期的に又は必要に応じて、新しいフィルタエレメント１０に交換される。以下、交換の手順について説明する。
【００６５】
まず、タンクカバー２５及び固定用ばね２８を外して、フィルタ装置３０をタンク２１の内側部屋２４内から取り出す。このとき、蓋部材１６の取手１６ｂを持ってフィルタエレメント１０を引き上げるが、押さえリング１８を溝１５ｊに装着されていれば、蓋部材１６が外れること無く、フィルタ装置３０を引き上げることができる。
【００６６】
フィルタ装置３０が液圧回路２０から取り外されたら、押さえリング１８を溝１５ｊから取り外す。次に、蓋部材１６をフィルタエレメント１０から取り外す。これにより、使用済みのフィルタエレメント１０が取り出される。蓋部材１６、シール部材１７及び押さえリング１８は、再び用いられる。
【００６７】
未使用の新たなフィルタエレメント１０に、使用済みのフィルタエレメント１０から取り外した蓋部材１６及びシール部材１７を設ける。次に、使用済みのフィルタエレメント１０から取り外した押さえリング１８を溝１５ｊに装着する。
【００６８】
なお、フィルタエレメント１０の交換時に、フィルタエレメント１０の使用者は、プレート１５の突起１５ｄに形成された孔１５ｉ及び蓋部材１６に形成された凸部１６ｇを視認する。それゆえ、凸部１６ｇ又は孔１５ｉは、文字として使用者に認識されやすいように、文字として視認できる形状で形成することが望ましい。
【００６９】
つぎに、図４に示すように、突起１５ｄが形成されていないプレート１５−１を用いたフィルタエレメント１０−１が誤って用いられた場合について説明する。なお、フィルタエレメント１０−１は、プレート１５−１以外の構成はフィルタエレメント１０と同様であるため、プレート１５−１以外の構成については図示及び詳細な説明を省略する。
【００７０】
プレート１５−１は、突起１５ｄが形成されていない。このため、フィルタエレメント１０−１に蓋部材１６を取り付けた場合には、蓋部材１６の裏面１６ｆが突起１５ｄに当接しないため、フィルタエレメント１０−１内部と外部との圧力差等により、使用中に蓋部材１６が内筒１２の内側に落ちてしまうおそれがある。
【００７１】
本実施の形態によれば、正規なフィルタエレメント１０以外の非正規品であるフィルタエレメント１０−１が蓋部材１６に取り付けられることを防止することができる。したがって、正規なフィルタエレメント１０以外の使用を確実に防止することができる。
【００７２】
なお、本実施の形態では、非正規品の取り付け防止対策として、蓋部材１６に凸部１６ｇを形成し、プレート１５の突起１５ｄに孔１５ｉを形成したが、非正規品の取り付け防止対策はこれに限られない。例えば、非正規品の取り付け防止対策として、突起１５ｄに凸部を形成し、この凸部に嵌合する凹部を蓋部材１６に形成してもよい。また、蓋部材１６に凸部１６ｇを形成し、突起１５ｄに孔１５ｉを形成すると共に、突起１５ｄに凸部を形成し、この凸部に嵌合する凹部を蓋部材１６に形成してもよい。例えば、“Ｄ”、“Ｏ”については、凸部１６ｇと孔１５ｉとを嵌合させ、“Ｍ”、“Ｘ”については、突起１５ｄに形成した凸部と、蓋部材１６に形成した凹部とを嵌合させてもよい。
【００７３】
＜第２の実施の形態＞
第１の実施の形態では、押さえリング１８を溝１５ｊに装着してフィルタエレメント１０の脱落を防止したが、押さえリング１８は必須ではない。図５は、第２の実施の形態にかかるプレート１５Ａを用いたフィルタエレメント１０Ａを示す図である。なお、フィルタエレメント１０Ａは、プレート１５Ａ以外の構成はフィルタエレメント１０と同様であるため、プレート１５Ａ以外の構成については図示及び詳細な説明を省略する。
【００７４】
プレート１５は、本体部１５ｋと、外筒部１５ｂと、内筒部１５ｃと、突起１５ｄと、を有する。図５においては、内筒部１５ｃと突起１５ｄとの境を点線で表示しているが、これは説明のために点線で表示しているだけであり、実際には境界が無く一体である。
【００７５】
本体部１５ｋは、円環形状の部材である。本体部１５ｋの内周面には、シール部材１７が当接する溝１５ｅが形成される（溝１５ｊは形成されない）。その他の点は、本体部１５ｋは本体部１５ａと同様である。
【００７６】
外筒１１、内筒１２、ろ材１３等の大きさ（重さ）によっては、押さえリング１８を設けることが望ましい。しかしながら、小型のフィルタエレメント１０Ａの場合等には、シール部材１７が弾性変形してプレート１５Ａと蓋部材１６とに密着することで、プレート１５Ａと蓋部材１６とを一体化し、取手１６ｂを引き上げるときに蓋部材１６がプレート１５Ａから外れないようにすることができる。
【００７７】
本実施の形態によれば、正規品以外の使用を確実に防止することフィルタエレメントを、簡単な構造で提供することができる。
【００７８】
以上、この考案の実施形態を、図面を参照して詳述してきたが、具体的な構成はこの実施形態に限られるものではなく、この考案の要旨を逸脱しない範囲の設計変更等も含まれる。当業者であれば、実施形態の各要素を、適宜、変更、追加、変換等することが可能である。
【００７９】
また、本考案において、「略」とは、厳密に同一である場合のみでなく、同一性を失わない程度の誤差や変形を含む概念である。例えば、略同一とは、厳密に同一の場合には限られず、同一性を失わない程度の誤差を含む概念である。また、例えば、単に同一と表現する場合において、厳密に同一の場合のみでなく、略同一の場合を含むものとする。また、本考案において「近傍」とは、基準となる位置の近くのある範囲（任意に定めることができる）の領域を含むことを意味する。例えば、Ａの近傍という場合に、Ａの近くのある範囲の領域であって、Ａを含んでもいても含んでいなくてもよいことを示す概念である。
【符号の説明】
【００８０】
１        ：濾過装置
１０、１０−１、１０Ａ：フィルタエレメント
１１      ：外筒
１２      ：内筒
１３      ：ろ材
１４、１５、１５−１、１５Ａ：プレート
１５ａ、１５ｋ：本体部
１５ｂ    ：外筒部
１５ｃ    ：内筒部
１５ｄ    ：突起
１５ｅ    ：溝
１５ｆ    ：底面
１５ｇ    ：内周面
１５ｈ    ：上面
１５ｉ    ：孔
１５ｊ    ：溝
１６      ：蓋部材
１６ａ    ：本体部
１６ｂ    ：取手
１６ｃ    ：リリーフ弁
１６ｄ    ：側面
１６ｅ    ：溝
１６ｆ    ：裏面
１６ｇ    ：凸部
１６ｈ    ：リブ
１７      ：シール部材
１８      ：押さえリング
２０      ：液圧回路
２１      ：タンク
２２      ：流入管
２３      ：流出管
２４      ：内側部屋
２５      ：タンクカバー
２６      ：外側部屋
２７      ：連通管
２８      ：固定用ばね
３０      ：フィルタ装置
【図１】
0003204806.tif 000003
【図２】
0003204806.tif 000004
【図３】
0003204806.tif 000005
【図４】
0003204806.tif 000006
【図５】
0003204806.tif 000007